(57)【要約】【課題】紫外線ランプの点検又は交換作業を容易にすることができる紫外線ランプと保護管の組付け構造を提供する。【解決手段】容器１内に装着された保護管１０に紫外線ランプ２を気密に収容するとともに、紫外線ランプに接続された配線を保護管の外部に気密に引出す紫外線ランプと保護管の組付け構造であって、保護管内に挿入される筒体２１と、筒体２１の先端部に形成されランプ端子２ｂに嵌合されるコネクタ端子と、筒体の基端のコネクタフランジ２３に収容された中継端子２４と、中継端子とコネクタ端子とを接続する配線２６とを有するランプコネクタ２０を形成し、コネクタフランジ２３は、保護管１０を容器１に気密又は水密に装着するシールリング１１にシール部材を介して着脱可能に形成され、シールリング１１は、中継端子２４が挿脱可能に形成された外部引出端子が収容されてなることを特徴とする。【選択図】  図１
2015058379.tif 000002
【特許請求の範囲】
【請求項１】
紫外線照射対象の流体が流通される容器内に装着された保護管に紫外線ランプを気密に収容するとともに、前記紫外線ランプに接続された配線を前記保護管の外部に気密に引出す紫外線ランプと保護管の組付け構造であって、
前記保護管内に挿入される筒体と、該筒体の先端部に形成され前記紫外線ランプのランプ端子に嵌合されるコネクタ端子と、前記筒体の基端に形成されたコネクタフランジと、該コネクタフランジに装着された中継端子と、前記筒体内に収容され前記中継端子と前記コネクタ端子とを接続する配線とを有するランプコネクタを備え、
前記コネクタフランジは、前記保護管を前記容器に気密又は水密に装着する保護管組付け部材にシール部材を介して着脱可能に形成され、
前記保護管組付け部材は、前記中継端子が挿脱可能に形成された外部引出端子が装着されてなり、該外部引出端子に外部配線が接続可能に形成されてなる紫外線ランプと保護管の組付け構造。
【請求項２】
前記紫外線ランプは、両端にそれぞれ一対の電極を有する直管状に形成され、
前記ランプ端子は、前記一対の電極接続された４つの端子が前記紫外線ランプの一端に設けられていることを特徴とする請求項１に記載の紫外線ランプと保護管の組付け構造。
【請求項３】
前記紫外線ランプは、漏水検知器が内蔵され、
前記ランプ端子と前記中継端子と前記外部引出端子には、前記漏水検知器に接続された一対の検知端子が含まれていることを特徴とする請求項２に記載の紫外線ランプと保護管の組付け構造。
【請求項４】
前記ランプコネクタは、前記筒体の内部に乾燥材が収容される空間を有して形成されていることを特徴とする請求項１に記載の紫外線ランプと保護管の組付け構造。
【請求項５】
前記ランプコネクタの前記筒体と前記コネクタフランジ及び前記保護管の保護管組付け部材は、セラミック材で形成されていることを特徴とする請求項１に記載の紫外線ランプと保護管の組付け構造。
【発明の詳細な説明】
【技術分野】
【０００１】
本発明は、紫外線ランプと保護管の組付け構造に係り、具体的には、紫外線照射装置における紫外線ランプのメンテナンス作業を改善する技術に関する。
【背景技術】
【０００２】
一般に、紫外線照射装置は、処理対象の流体に紫外線を照射して各種の菌の死滅化や不活化、有機物及び不純物の分解処理、あるいは処理対象流体の空気に紫外線を照射して発生させたオゾンにより殺菌すること等に、広く用いられている。このような紫外線照射装置においては、紫外線ランプを石英ガラス等の保護管内に収容して処理対象の流体を流通する処理容器内に設置して用いられる。
【０００３】
ところで、紫外線ランプの寿命又は断線等の故障の場合、紫外線ランプの点検や交換のために、処理容器に紫外線ランプを着脱可能に装着する必要がある。例えば、特許文献１に記載の紫外線照射装置は、円筒状の処理容器の一方の開口端に支持環を連接し、この支持環にＶ字型のゴムパッキンを内蔵させた支持筒により、一端が閉塞された保護管を支持している。具体的には、保護管を支持筒に挿入し、支持筒に螺合されたゴムパッキンを保護管に押圧付勢して、保護管を処理容器に封止支持することにより、処理容器内の液体やガスなどの流体が外部に漏れ出すのをシールしている。また、保護管の開口端にゴムブッシュを装着し、ゴムブッシュを着脱して紫外線ランプを保護管内に挿脱可能に形成するとともに、紫外線ランプの配線をゴムブッシュに形成した貫通穴から気密に外部に引出して、保護管内部を外部から気密にシールしている。
【０００４】
ところで、紫外線ランプは、石英ガラス管の両端部に電極を封入し、それらの電極に電流を流すとともに、電圧を印加して放電させて封入した水銀を含むガスを電離させて紫外線を放出するように構成されている。それらの電極に電源を供給するため、直管状のガラス管の両端の封止部からリード線が口金に引出され、それらの口金にピン状の一対のランプ端子を設けて形成している。また、特許文献１に記載のように、両端の電極に接続したリード線を直管状のガラス管の片端に設けた口金に二対のランプ端子を引出した構造の紫外線ランプも知られている。さらに、直管状のガラス管をＵ字状に折り曲げ、両端の封止部からリード線を引出す口金を一体化した構造の紫外線ランプも知られている。これらのいずれの紫外線ランプであっても、紫外線ランプのランプ端子に接続された配線（電線又はケーブル）を、保護管から外部に引出すためにシール部が設けられる。
【先行技術文献】
【特許文献】
【０００５】
【特許文献１】特開平７−９５５号公報
【発明の概要】
【発明が解決しようとする課題】
【０００６】
しかし、特許文献１のような従来の紫外線照射装置において、紫外線ランプの点検又は交換をする場合、配線が引出されたシール部を紫外線ランプと共に保護管から抜き出した後、紫外線ランプから配線を取り外して点検又は交換しなければならない。また、紫外線ランプの交換等の終了後、逆の手順で、紫外線ランプを保護管内に組付けることになる。つまり、紫外線ランプを保護管から抜き出すには、配線等の付属部品を紫外線ランプと共に抜き出す必要があるから作業がやり難いという問題がある。
【０００７】
一方、保護管が破損すると、処理対象の液体が保護管内に漏れ込んで高温の紫外線ランプが破損するおそれがあることから、保護管内に漏水検知器を設けて、例えば紫外線ランプの電源をオフするようにしている。その漏水検知信号を外部に引出す信号配線は、電源の配線と同様にシール部に設けられた貫通穴から引出される。また、保護管内において空気中の水分凝縮を防止するために、シリカゲルなどの粉粒状の乾燥材を保護管内に収容することが行われている。これらの付属部品等は、紫外線ランプを保護管から抜き出す作業の障害になる。
【０００８】
本発明が解決しようとする課題は、紫外線ランプの点検又は交換作業を容易にすることができる紫外線ランプと保護管の組付け構造を提供することにある。
【課題を解決するための手段】
【０００９】
上記の課題を解決するため、本発明は、紫外線照射対象の流体が流通される容器内に装着された保護管に紫外線ランプを気密に収容するとともに、前記紫外線ランプに接続された配線を前記保護管の外部に気密に引出す紫外線ランプと保護管の組付け構造であって、前記保護管内に挿入される筒体と、該筒体の先端部に形成され前記紫外線ランプのランプ端子に嵌合されるコネクタ端子と、前記筒体の基端に形成されたコネクタフランジと、該コネクタフランジに装着された中継端子と、前記筒体内に収容され前記中継端子と前記コネクタ端子とを接続する配線とを有するランプコネクタを備え、前記コネクタフランジは、前記保護管を前記容器に気密又は水密に装着する保護管組付け部材にシール部材を介して着脱可能に形成され、前記保護管組付け部材は、前記中継端子が挿脱可能に形成された外部引出端子が装着されてなり、該外部引出端子に外部配線が接続可能に形成されていることを特徴とする。
【００１０】
すなわち、本発明は、第１に、筒体の先端部に紫外線ランプのランプ端子に着脱自由に嵌合するコネクタ端子を有し、筒体のコネクタフランジにコネクタ端子に接続された配線を接続する中継端子が収容されたランプコネクタを設けたことを特徴とする。第２に、コネクタフランジに設けた中継端子を、保護管を容器に気密又は水密に装着する保護管組付け部材に収容された外部引出端子に嵌合可能に形成し、外部引出端子に外部配線を接続するように形成したことを特徴とする。このような特徴構成を有することから、紫外線ランプを点検又は交換等するとき、コネクタフランジを保護管組付け部材から取り外すことにより、ランプコネクタと紫外線ランプを保護管から容易に引出すことができる。このとき、同時に、ランプコネクタの中継端子は保護管組付け部材に収容された外部引出端子から離脱され、外部配線とランプコネクタとの接続が自ずと切り離される。その結果、紫外線ランプに接続された配線に気を配ることなく、簡単に、紫外線照射装置から紫外線ランプを取り外すことができ、紫外線ランプを点検又は交換することができる。逆に、点検又は交換した紫外線ランプのランプ端子をランプコネクタのコネクタ端子に嵌合し、紫外線ランプ側から保護管内に挿入してランプコネクタのコネクタフランジを保護管組付け部材に固定することにより、紫外線ランプの点検又は交換作業及び配線の接続作業を終了することができる。しかも、保護管組付け部材は保護管に固定された状態のまま紫外線ランプの交換等の作業を行うことができるから、保護管組付け部材から引出された外部配線を取り外す必要がないので、作業を簡単化できる。
【００１１】
本発明は、種々の紫外線ランプに適用することができる。例えば、両端にそれぞれ一対の電極を有する直管状に形成された２つの口金を有する紫外線ランプ、一対の電極に接続された４つのランプ端子を有する口金が一端に設けられている紫外線ランプ、さらには直管状のガラス管をＵ字状に折り曲げ、両端の封止部から電源線を引出す口金を一体化した構造の紫外線ランプについても適用することができる。また、紫外線ランプが収容された保護管を鉛直方向又は水平方向に配設してなる紫外線照射装置のいずれにも適用することができる。
【００１２】
前記紫外線ランプに漏水検知器を内蔵した場合には、漏水検知器に接続された一対の検知端子をランプコネクタのコネクタ端子に併設することにより、電源配線と同様に漏水検知の信号配線を保護管組付け部材から引出すことができる。また、ランプコネクタは、筒体の内部に乾燥材が収容される空間を有して形成することができる。この場合、筒体の適宜場所に乾燥材を投入する閉止可能な開口を設けることができる。
【００１３】
また、ランプコネクタの筒体とコネクタフランジ及び保護管の保護管組付け部材は、紫外線が照射され、またオゾンにさらされることから、耐ＵＶ（紫外線）性及び耐オゾン性を有するセラミックで形成することが好ましい。
【発明の効果】
【００１４】
本発明によれば紫外線ランプの点検又は交換作業を容易にすることができる紫外線ランプと保護管の組付け構造を提供することができる。
【図面の簡単な説明】
【００１５】
【図１】本発明の紫外線ランプと保護管の組付け構造の一実施形態が適用された紫外線照射装置の一例の主要部断面図を示している。
【図２】図１実施形態の保護管組付け部材の詳細構成を一部断面にして示す図である。
【図３】図１実施形態のランプコネクタの詳細構成図である。
【図４】ランプコネクタのコネクタフランジを保護管組付け部材に組付けた状態を一部断面にして示す図である。
【発明を実施するための形態】
【００１６】
以下、本発明を実施形態に基づいて説明する。図１に、本発明の紫外線ランプと保護管の組付け構造の一実施形態が適用された紫外線照射装置の主要部の断面図を示している。本実施形態は、紫外線照射対象の流体である液体又は気体が流通される例えば円筒状の容器であるシリンダ１内に、例えば複数本の紫外線ランプ２が収容されてなる紫外線照射装置の一例であり、図では主要部の部分図を示している。シリンダ１の一端にシリンダフランジ３が溶接により固定され、シリンダフランジ３には保護管支持フランジ４がパッキン５を介して取り付けられている。シリンダフランジ３と保護管支持フランジ４には、図示していないボルトとナットからなる締結部材が挿通される複数のボルト穴６が穿設されている。これらのシリンダ１、シリンダフランジ３、保護管支持フランジ４は、紫外線照射対象の流体に対して耐食性を備えた、例えばＳＵＳ又は樹脂などの材料で形成されている。シリンダ１の図示されていない他端は、鏡板あるいは盲フランジにより閉止されている。また、シリンダ１は、長手方向の円筒軸を縦置きに設置する場合と、横置きに設置する場合のいずれの場合でも、本発明を適用することができる。
【００１７】
紫外線ランプ２を収容する保護管１０は、一般に石英ガラス管により形成されている。保護管１０は、一端が開口され、図示されていない他端は閉塞されている。シリンダ１を縦置きする場合は、シリンダフランジ３と保護管支持フランジ４を上部に位置させて、保護管１０の開口端を保護管支持フランジ４に穿設した貫通穴７から吊り下げ設置することができる。紫外線ランプ２を複数本設置する場合は、必要に応じて各保護管１０の下端近くにスペーサ枠を設けて各保護管１０の振れを抑えることができる。他方、シリンダ１を横置きする場合は、各保護管１０の他端近くにスペーサ枠を設けて、シリンダ１の内壁に支承させる他、シリンダ１の他端に保護管支持フランジ４と同様の部材を設けて、保護管１０を軸方向摺動自由に、かつシリンダ１内の流体が漏れ出さないように液密又は気密に支持させることができる。
【００１８】
図１において、保護管１０の開口端は、保護管支持フランジ４に穿設した貫通穴７に挿入して、軸方向の熱伸び等を吸収可能に保護管組付け部材であるシールリング１１により、気密又は液密に保護管支持フランジ４に支持される。すなわち、保護管１０の開口端を液密又は気密に支持するために、貫通穴７の図において左側（外面側）の穴縁の角を研削して傾斜面となる面取部７ａを形成し、面取部７ａにリングパッキン８を装着して、シールリング１１によりリングパッキン８を面取部７ａに押圧して、保護管１０を液密又は気密に容器１に支持させている。
【００１９】
次に、本実施形態の特徴部に係るシールリング１及びランプコネクタ２０の詳細構成について説明する。保護管組付け部材であるシールリング１１は、図２（ａ）〜（ｃ）に示すように、リング状に例えばセラミック材により形成されている。シールリング１１の中心部には、保護管１０の端部が挿入可能な大径の穴１２と、ランプコネクタ２０の筒体２１が挿通される小径の穴１３がリングの軸方向に連続して形成されている。シールリング１１の穴１２の周縁部はリングパッキン８を抑えるパッキン押え部１１ａとなっている。また、シールリング１１の周縁部には、図２（ａ）の線IIｂ−IIｂにおける断面図である図２（ｂ）に示すように、ボルト穴１４が複数（図示例では３個）、等角度ピッチで貫通されている。このボルト穴１４に対応させて、保護管支持フランジ４にネジ穴４ａが穿設され、ボルト穴１４を通して図示していないボルトをネジ穴４ａにねじ込んでシールリング１１を保護管支持フランジ４に固定するようになっている。
【００２０】
また、図２（ａ）、（ｂ）に示すように、シールリング１１の周縁部には、正方形の複数（図示例では３個）の貫通穴１５が等角度ピッチで形成され、この貫通穴１５にそれぞれ六角ピン１６が装着されている。六角ピン１６には、ランプコネクタ２０のコネクタフランジ２３を固定するネジ穴１７が形成されている。また、シールリング１１には、複数（図示例では６個）の外部引出端子を装着する円筒状の外部引出端子収容穴１８が小径の穴１３の周縁に等角度ピッチで形成されている。外部引出端子収容穴１８に連続させて、外部配線１９を収容するための切り込み溝１８ａが、シールリング１１の外周面に開口させて保護管支持フランジ４との接触面まで形成されている。
【００２１】
本実施形態の紫外線ランプ２は、両端にそれぞれ一対の電極２ａを有する直管状に形成され、一対の電極２ａに接続された４つのランプ端子２ｂを有する口金２ｃが一端に設けられている。また、本実施形態では、紫外線ランプ２に内蔵された図示していない漏水検知器の検出端子に接続された一対のランプ端子２ｂが口金２ｃに併設されている。合わせて６つ（図では４つが現れている。）のランプ端子２ｂは、口金２ｃの円形の端面から突出されたピン状に形成されている。また、口金２ｃの円形の端面は、図１に示すように、軸方向に段差を有する半円状の端面２ｄ、２ｅを組み合わせて形成され、各半円の端面２ｄ、２ｅに２組に分けてランプ端子２ｂが３本づつ（図では、２本しか現れていない。）設けられている。
【００２２】
ランプコネクタ２０は、図３（ａ）〜（ｃ）に示すように、保護管１０内に挿入される中空円筒状の筒体２１と、筒体２１の先端部に一体に形成された端子ハウジング部２２と、筒体２１の基端部に一体に形成されたコネクタフランジ２３とを有している。ランプコネクタ２０の筒体２１と端子ハウジング部２２とコネクタフランジ２３、シールリング１１は、紫外線が照射され、またオゾンにさらされることから、耐ＵＶ（紫外線）性及び耐オゾン性を有するセラミックで形成している。しかし、セラミック材に限定されるものではなく、耐ＵＶ性及び耐オゾン性を有する材料であれば、他の材料を用いて形成することができる。
【００２３】
端子ハウジング部２２には、紫外線ランプ２のピン状のランプ端子２ｂに嵌合される図示していない雌型のコネクタ端子が装着される端子収容穴２２ａが形成されている。なお、端子ハウジング部２２は、ランプ端子２ｂに対向する先端部の端面が、図１、図３に示すように、軸方向に段差を有する半円状の２つの端面２２ｄ、２２ｅからなり、各端面に分けてコネクタ端子を収容する円筒状の端子収容穴２２ａが３個づつ形成され形成されている。各端子収容穴２２ａは、図３（ｂ）に示すように、端子ハウジング部２２の先端から軸方向に沿って筒体２１の内部空間まで貫通して形成されている。
【００２４】
コネクタフランジ２３には、図３（ａ）に示すように、雄型の中継端子２４を収容する円筒状の端子収容穴２５が複数（図示例では６個）形成されている。また、コネクタフランジ２３の外側の端面には、コネクタ端子に接続された配線２６を中継端子２４に導く配線溝２７が放射状に形成されている。中継端子２４は、図１、図３（ｂ）に示すように、端子収容穴２５に装着してシールリング１１に向けて突出させて設けられている。中継端子２４は、前述したように、シールリング１１の外部引出端子収容穴１８に装着された外部引出端子に嵌合可能に形成されている。また、コネクタフランジ２３には、前述したように、シールリング１１に形成された正方形の貫通穴１５に対応させて、正方形の貫通穴２８が穿設され、この貫通穴２８に六角ピン２９が挿入されている。六角ピン２９には軸方向に沿ってネジ穴３０が形成されている。なお、六角ピン２９のネジ穴３０の径は、シールリング１１の六角ピン１６のネジ穴１７の径よりも大きく形成されており、六角ピン２９のネジ穴３０に挿通させてネジ穴１７に螺合する固定用ボルト３２により、コネクタフランジ２３をシールリング１１に固定するようになっている。
【００２５】
また、ランプコネクタ２０の筒体２１には、筒側面に乾燥材を投入する開口２１ａが形成されている。この開口２１ａは、筒体２１の内部空間３４に乾燥材を投入した後、樹脂等の何らかの材料で塞ぐことができるように形成する。また、開口２１ａは複数設けてもよい。
【００２６】
このように構成されることから、本実施形態によれば、以下に説明するように、本発明に係る紫外線照射装置が組み立てられ、かつ、紫外線ランプ２の点検又は交換の作業を簡単化することができる。まず、シリンダ１のシリンダフランジ３にパッキン５を介して保護管支持フランジ４を位置決めして、ボルト穴６にボルト等の締結部材を挿通して強固に固定する。次いで、保護管１０を貫通孔７から容器１内に挿入し、保護管支持フランジ４の外面から若干突出させた保護管１０の管端に、リングパッキン８を装着するとともにシールリング１１の穴１２を嵌め込む。なお、シールリング１１には、予め、外部引出端子収容穴１８に外部引出端子を装着するとともに、外部引出端子に外部配線１９を接続しておく。次に、貫通穴１５に六角ピン１６を装着し、貫通穴１４にボルトを挿入して保護管支持フランジ４に穿設されたネジ穴４aにねじ込んでシールリング１１を保護管支持フランジ４に固定する。このとき、リングパッキン８を面取部７ａに位置させてパッキン押え部１１ａにより押圧する。これにより、保護管１０は気密又は液密にシリンダ１１に支持される。
【００２７】
一方、ランプコネクタ２０は、配線２６の両端にそれぞれコネクタ端子と中継端子２４を接続し、コネクタ端子を端子ハウジング部２２に装着し、中継端子２４をコネクタフランジ２３に形成された端子収容穴２５に装着し、配線２６の端部を配線溝２７に収容する。そして、ランプコネクタ２０の配線溝２７の内部に耐ＵＶ性および耐オゾン性の高い無機系接着剤を充填して配線２６及び中継端子２４を固定する。このようにして組み立てられたランプコネクタ２０のコネクタ端子に、紫外線ランプ２のランプ端子２ｂの位置を合せて嵌合する。このとき、口金２ｃの端面２ｄ、２ｅの段差と、ランプコネクタ２０の端子ハウジング部２２の端面２２ｄ、２２ｅの段差を対応させて嵌合することにより、紫外線ランプ２の電極２ａに接続する二対のランプ端子２ｂ及び漏水検出器の検出端子に接続する一対のランプ端子２ｂを誤りなく接続できる。また、図３（ｃ）に示すように、端子ハウジング部２２の一方の半円状の突出部２２ｂに位置合せ突起２２ｃを設け、これに対応させて口金２ｃに位置合せ突起２２ｃが挿入可能な溝を形成することにより、ランプコネクタ２０のコネクタ端子にランプ端子２ｂを誤りなく嵌合することができる。
【００２８】
このようにして紫外線ランプ２をランプコネクタ２０に組付けた後、コネクタフランジ２３とシールリング１１との間を気密にシールするために、平板状の環状パッキン３３を装着する。なお、環状パッキン３３に代えてOリングパッキンを用いてもよい。次いで、コネクタフランジ２３の正方形の貫通穴２８に六角ピン２９を装着する。そして、紫外線ランプ２の先端部に必要に応じてスペーサを取り付けて保護管１０内に挿し込み、コネクタフランジ２３の貫通穴２８をシールリング１１の貫通穴１５に位置合わせし、六角ピン２９のネジ穴３０よりも小径の固定用ボルト３２を六角ピン１６のネジ穴１７にねじ込んで、ランプコネクタ２０をシールリング１１に強固に固定する。これにより、紫外線ランプ２が保護管１０に気密に組付けられる。一方、コネクタフランジ２３に装着された中継端子２４が、それぞれ対応するシールリング１１の外部引出端子収容穴１８に装着された外部引出端子に嵌合され、外部引出端子を介して外部配線１９にそれぞれ接続される。なお、紫外線ランプ２が複数本備えられた紫外線照射装置の場合は、同様にして、保護管１０をシールリング１１を介してシリンダ１１に気密又は液密に組付けるとともに、紫外線ランプ２をランプコネクタ２０に結合して、ランプコネクタ２０をシールリング１１に組付けることができる。このようにして組付けられたランプコネクタ２０のコネクタフランジ２３とシールリング１１の組付け部の詳細図を図４に示す。なお、シールリング１１の配線溝１９ａには耐ＵＶ性および耐オゾン性の高い無機系接着剤などを充填して、外部引出端子及び外部配線１９の端部を固定する。また、ランプコネクタ２０のコネクタフランジ２３の配線溝２７及び中継端子２４の周囲に耐ＵＶ性および耐オゾン性の高い無機系接着剤などを充填して、配線２６及び中継端子２４を固定する。さらに、コネクタフランジ２３の図４において左側の面に開口された筒体２１に対応する穴端に蓋３１を装着して、樹脂等により固着する。
【００２９】
このように組付けられた紫外線ランプ２を、何らかの理由により交換又は点検する必要が生じた場合は、コネクタフランジ２３の六角ピン２９に挿通されてシールリング１１のネジ穴１７にねじ込まれた固定用ボルト３２を緩めて取り外す。そして、コネクタフランジ２３をシールリング１１から離す方向に引出すことにより、コネクタフランジ２３の中継端子２４を外部引出端子から引き抜いて、外部配線１９と紫外線ランプ２との電気的な接続を切り離すことができる。次いで、紫外線ランプ２をランプコネクタ２０から取り外すことにより、紫外線ランプ２の点検又は交換の作業を簡単に行うことができる。
【００３０】
以上説明したように、本実施形態によれば、第１に、筒体２１の先端部に紫外線ランプ２のランプ端子２ｂに着脱自由に嵌合するコネクタ端子を有し、筒体２１のコネクタフランジ２３にコネクタ端子に接続された配線２６を接続する中継端子２４が収容されたランプコネクタ２０を設けたことを特徴とする。第２に、コネクタフランジ２３に設けた中継端子を、保護管１０を処理容器であるシリンダ１に気密又は水密に装着する保護管組付け部材であるシールリング１１に収容された外部引出端子に嵌合可能に形成し、外部引出端子に外部配線１９を接続するように形成したことを特徴とする。このような特徴構成を有することから、紫外線ランプ２を点検又は交換等するとき、コネクタフランジ２３をシールリング１１から取り外すことにより、ランプコネクタ２０と紫外線ランプ２を保護管１０から容易に引出すことができる。このとき、同時に、ランプコネクタ２０の中継端子はシールリングに収容された外部引出端子から離脱され、外部配線１９とランプコネクタ２０との接続が自ずと切り離される。その結果、従来のように、紫外線ランプ２に接続された配線に気を配ることなく、簡単に、紫外線照射装置から紫外線ランプ２を取り外すことができ、紫外線ランプ２を点検又は交換することができる。
【００３１】
逆に、点検又は交換した紫外線ランプ２のランプ端子をランプコネクタ２０のコネクタ端子に嵌合し、紫外線ランプ２側から保護管１０内に挿入してランプコネクタ２０のコネクタフランジ２３をシールリング１１に固定することにより、紫外線ランプ２の点検又は交換作業及び配線の接続作業を終了することができる。しかも、シールリング１１は保護管１０に固定された状態のまま紫外線ランプ２の交換等の作業を行うことができるから、シールリング１１から引出された外部配線１９を取り外す必要がないので、作業を簡単化できる。
【００３２】
上述した実施形態において、紫外線ランプ２は、一対の電極に接続された４つのランプ端子を有する口金が一端に設けられている紫外線ランプを例に説明したが、本発明は種々の紫外線ランプに適用することができる。例えば、両端にそれぞれ一対の電極を有する直管状に形成された２つの口金を有する紫外線ランプ、又は、直管状の石英ガラス管をＵ字状に折り曲げ、両端の封止部から電源用の配線を引出す口金を一体化した構造の紫外線ランプについても適用することができる。
【００３３】
以上、本発明を一実施形態に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００３４】
１  シリンダ
２  紫外線ランプ
１０  保護管
１８  外部引出端子収容穴
１９  外部配線
２０  ランプコネクタ
２１  筒体
２２  端子ハウジング部
２３  コネクタフランジ
２４  中継端子
２５  端子収容穴
２６  配線
【図１】
2015058379.tif 000003
【図２】
2015058379.tif 000004
【図３】
2015058379.tif 000005
【図４】
2015058379.tif 000006